【事件の表示】
　特許第３３５８１７３号「置棚」の請求項１ないし３に係る特許に対する特許異議の申立てについて、次のとおり決定する。
【結　論】
　特許第３３５８１７３号の請求項１ないし３に係る特許を維持する。
【理　由】
１．手続きの経緯
　平成　９年１２月２５日　出願（特願平９−３６８６９６号）
　平成１４年１０月１１日　設定登録（特許第３３５８１７３号）
　平成１４年　２月１４日　無効審判請求（別件、無効２００３−３５０６０）
　平成１４年　２月１４日　本件異議の申立て１（特許異議申立人アイリスオーヤマ株式会社、以下、「申立１」という。）
　平成１４年　４月　８日  無効審判請求（別件、無効２００３−３５１３０）
　平成１４年　４月　９日　本件異議の申立て２（特許異議申立人は申立１と同じ、以下、「申立２」という。）
　
２．本件特許に係る発明
　本件特許の請求項１ないし３に係る発明は、特許明細書の特許請求の範囲の請求項１ないし３に記載された次のとおりのものである。
「【請求項１】　左右の支脚間に前後に架橋した棚受用横桟上に適宜着脱自在な取替棚を掛止してなる置棚において、上記棚受用横桟は外管に内管を伸縮可能に挿通してなると共に、上記外管の伸縮方向に一定長を有する固定棚は、その後方裏面に設けた取付孔に内管側の支脚を嵌入すると共に、当該固定棚の先端の支持部に対して上記外管をその伸縮に応じて摺動自在に挿通して該固定棚を水平に支持し、所定枚数の取替棚を前後の外管上に掛止したことを特徴とする置棚。
　【請求項２】　外管の内管挿通側の先端には、固定棚の外管支持部と当接する抜止部を設け、外管の最大伸長を規制した請求項１記載の置棚。
　【請求項３】　固定棚および取替棚は、上下方向の通気孔を有する請求項１または２記載の置棚。」　
　
３．異議申立ての理由の概要
（１）申立１
　異議申立人は、証拠として甲第１号証ないし甲第８号証を提出し、本件請求項１ないし３に係る発明は、甲第１号証ないし甲第８号証に記載された発明に基いて当業者が容易に発明することができたものであるから、特許法第２９条第２項の規定により特許を受けることができないものであり、請求項１ないし３に係る特許は取り消されるべきものである旨主張している。
（２）申立２
　異議申立人は、証拠として甲第１号証ないし甲第１４号証を提出し、本件請求項１ないし３に係る発明は、甲第１号証に記載された発明に甲第２号証ないし甲第１４号証に例示される周知・慣用技術を適用して当業者が容易に発明することができたものであるから、特許法第２９条第２項の規定により特許を受けることができないものであり、請求項１ないし３に係る特許は取り消されるべきものである旨主張している。
　
４．証拠の記載事項
（１）申立１の証拠の記載事項
　甲第１号証（「室内１１月号」、株式会社工作社、平成６年１月１日発行、１６２〜１６３頁、以下、「刊行物１」という。）には、伸長式テーブルのメカニズムが図１ないし９と共に記載され、
「（５）（原文は丸数字、以下同様）本天板を左右にひっぱって伸ばすタイプです（図５）。本天板は２枚に分かれていて、裏側にレールがあります。伸長するときは、本天板をレールに沿って左右に滑らせ、まんなかの隙間に補助天板をはめ込みます。・・・
（６）考え方は（５）と同じですが、これは伸長用のレールが幕板を兼ねるタイプです（図６）。」（１６３頁上欄９〜２２行）と記載され、図５及び図６には、支脚を有する本天板を左右伸ばし、その間に掛け渡されたレール上に補助天板を載置する構成が記載され、図６にはさらに、レールは、側面に溝と突条を有する断面略コ字状であり、溝と突条を摺動自在に係合させることが示されている。
　甲第２号証（登録実用新案第３００４８１５号公報、以下、「刊行物２」という。）には、図面と共に次のように記載されている。
「左右の両側支脚間の前および後方に、丸又は角パイプからなる横枠を係着固定し、該前後の横枠間に別途両端に鉤部を備えた適宜な棚材を架設した流し台キャビネットにおける置棚。」（請求項１）、
「前後の横枠２・２又は２’・２’は、丸パイプ、角パイプの別を問わず、互いに嵌合してスライド可能な異径パイプ２ｂ、２ｃによって構成することにより（図４参照）、伸縮可能な置棚とすることができる」（段落【００１６】）。
「本考案の置棚の構成を図面に示す一つの実施例に従って更に詳述すると、図１において１は少なくとも前後の直立脚材１ａの側面に多数の透孔１ｂを貫設してなる四角形状の支脚、２は左右２枚の支脚１、１間の前方および後方において、その両端ネジ部２ａが上記支脚の透孔１ｂを貫通する中空状パイプからなる横枠、３は上記横枠２の両端ネジ部２ａに螺装される止ナット、又４は一定の巾を有し、上記前後の横枠２、２間に奥行方向に架設される棚材であって、更に詳しくは図３に示すように両端に上記横枠２と緊密乃至は弾性的に係着し得る鈎部４ａを曲成するとともに必要に応じて、上記鈎部４ａを除く両側縁に弯入部４ｂを設けて棚材の中央部を巾狭に構成すると同時に、中央部には適宜な長孔４ｃを貫設し、それぞれの縁部を下方に屈成して補助リブ４ｄを形成してなるものである。」（段落【００１４】）。
　甲第３号証の１（アイリスオーヤマ株式会社「ＩＲＩＳ　ＣＡＴＡＬＯＧ’９４」、以下、「刊行物３」という。）には、「伸縮自在棚ＳＺ−６４Ｔ」、「伸縮自在棚ＳＺ−７４Ｔ」が写真と共に記載され、甲第３号証の２（アイリスオーヤマ株式会社発行の「ＩＲＩＳ伸縮自在棚ＳＺ−７４Ｔ」の取扱説明書）には、裏面上段の写真に、伸縮自在棚ＳＺ−７４Ｔは、固定棚、２本の調整パイプ（細）及び付属の可動棚（大２枚、小３枚）を有し、２本の調整パイプ先端にはアジャスターを介して圧着部が形成されていること、固定棚及び可動棚には、通気孔が形成されていることが示され、「取り付け方法」の欄には、パイプ（細）はのびちぢみするもので、アジャスターを回してゆるめ、２本の調整パイプを壁面間に押しつけ、取り付けること、取り付け状態を確認後、付属の可動棚を、調整パイプ（細）にはめ込むことが記載されている。
　甲第４号証（米国特許第３，８３７，２９７号公報、以下、「刊行物４」という。）には、「ガラストップテーブルの拡張機構」に関し、図１ないし４と共に次のように記載されている。
「図１はこの発明が適用される型のテーブルを示す。このテーブルは１枚の透明ガラスから形成されて、適当な支持体、この例では４本の脚部１１の上に掛止するトップ１０から構成される。」（１欄５８〜６２行）、
「図１〜４を参照すると、この発明を説明すべく選択された拡張機構は、テーブルとは完全に独立したフレーム１２を含む。このフレームの寸法と形状はテーブルトップ１０の寸法と形状にほぼ対応する。」（２欄２〜７行）、
「フレーム１２の各コーナーには中空金属管状体２０が溶接などによりフレームに固着している。４つの管状体２０の各々はフレーム１２の長い方の側面の１つと固着されてその長手方向に延在する。各管状体の一端はフレームの短い方の側面の垂直辺部１４と当接し、短い方の側面１４に各管状体２０の軸と整合して孔が設けられる。
　各管状体２０の中には、棒状体２１が摺動自在に配され、その棒状体の長さは管状体の長さの約２倍である。棒状体２１は又それぞれの管状体２０と整合されたフレーム中の孔を通って摺動自在に延在する。各棒状体は２つの先端位置を有し、その一方は図１と実線で図２および図４に示される延在しきった位置である。この位置で棒状体２１の内側端部の拡大ヘッド２２が管状体２０の内側端部に当接する。棒状体２１の他方の先端位置は図４に点線で示される引っ込ませた位置であり、ここで棒状体の外側端部のヘッド２３は、これを貫通して棒状体が延在するフレーム１２の短い方の側面の外面と当接する。
　２つの拡張板２６が備えられ、それぞれテーブルの長さを拡張するようにフレーム１２の短い方の側面の各々と隣接して取り付けられる。・・・各拡張板２６のフレームの中にはガラスパネル２７が支持されている。各拡張板２６の長い方の側面の垂直辺部は、棒状体２１を収納するようにされた上方に向かう切りこみ２８とともに形成される。拡張板２６が１組の延在した棒状体２１上に置かれる場合には、切りこみ２８を棒状体２１の上から嵌めて拡張板が棒状体から摺り落ちるのを防止する。」（２欄３１〜６４行）。
　甲第５号証（米国特許第５１６２０２８号明細書、以下、「刊行物５」という。）には、「高さ及び長さ調節可能なエアロビクス用ステップ又はベンチ」に関して、図面と共に次のように記載されている。
「図１から図６までは本発明を実施する一方法を示す。図に示すように、運動器具１０は全体的に水平な上側プラットホーム１４と下方に向かって伸延するエプロン１６を備えたベース１２で形成される。・・・
　後で述べるように、ベース１２は、器具１０の高さ調節可能性を追加するように取外し可能に脚が接続される受入れ構造体を含む。
　図１〜６に示す一実施形態において、ベース１２は左右区分体１８、２０で構成される２つの構造体で形成される。図１に示すように、区分体１８、２０が相互に接している状態において、プラットホーム１４の長さは最も短くなる。ただし、プラットホーム１４の長さを拡張する必要がある場合には、区分体１８、２０は図２〜３に示すように離れて位置決めされるので、間隔を保つ区分体１８、２０の間に中央区分体２２が挿入される。例えば、区分体１８、２０は下方に伸びたブラケット２６、２６および２８、２８に取り付けられた１対のレール２４、２４によって相互に接続される。レール２４、２４は、適当な形状であればどのような適当な形状であっても差し支えないが、例えば、ブラケツト２６、２６に固定され、ブラケツト２８、２８に摺動可能に取り付けられた管状部材である。従って、プラットホーム１４を更に長くしようとする場合には、図３の矢印で示すように、レール２４、２４端部の直立ピン又は停止部材３０にプラケット２８、２８が接触するまで区分体２０が区分体１８から引き出される。これによって区分体１８、２０の隣接縁の間に間隙が生じる。拡張部材２２は間隙にちょうどはまる寸法であり、レール２４、２４に適合するように図３の矢印に従って下向きに挿入される。所定状態に取り付けられると、末端部区分体１８、２０及び中央長さ拡張区分体２２によって構成される三部品ユニットによって平滑で切れ目のない表面が形成される。」（２欄４８行〜３欄２２行）。　
　甲第６号証（特開平７−３２２９２５号公報、以下、「刊行物６」という。）には、図面と共に次のように記載されている。
「左右のスタンド部材１に連結部材４を夫々嵌合係止し、この左右の連結部材４の対向する内側の前後の係止連結部５に、図３に示すように収納棚板２の左右端部に被嵌したスライド延長棚板３の各先端部の係止片部６を係止連結して収納棚板２を前後に二枚架設状態とし、図２に示すようにビス11によりこのスライド延長棚板３を連結部材４に固定係止する構成であって、前記スライド延長棚板３底面のガイド長孔８を介してビス12を収納棚板２裏面にねじ込み係止し、このビス12を締め付けすることによりスライド延長棚板３が収納棚板２に固定され、逆にこのビス12を緩めることによりスライド延長棚板３がガイド長孔８のビス12に対する移動許容範囲内で左右に突出若しくは退出スライド移動する構成としたものである。」（段落【００１１】）
　甲第７号証（実開平６−０４１５４６号公報、以下、「刊行物７」という。）には、請求項１、段落【００１４】及び図面の記載によれば、
「複数の筒状の単位支柱と、この単位支柱に支持される単位棚とで単位棚体が形成され、この単位棚体が重ね合わされて形成される収納棚であって、上記単位支柱の一端には嵌合孔が形成されるとともに他端には嵌合突起が形成され、単位棚の四隅の上下方向一端には上記単位支柱の嵌合孔に嵌入する嵌合突起が設けられるとともに他端には上記単位支柱の嵌合突起を嵌入させる嵌合孔が設けられ、四本の単位支柱の嵌合孔または嵌合突起が単位棚の上記嵌合突起または嵌合孔に嵌め込まれて単位棚体が形成され、この単位棚体の複数組が結合されることによって複数段が形成されるように構成されている収納棚。」の発明が記載されていると認められる。
　甲第８号証（特開平７−２４３４１７号公報、以下、「刊行物８」という。）には、請求項１及び図面の記載によれば、
「平行に配置された一対の調整杆（２）の一端側が棚体（３）に軸方向摺動自在に挿通され、前記調整杆（２）を前記棚体（３）から引き出す方向に付勢するコイルバネ（１２）を備え、前記調整杆（２）の他端部に前記コイルバネ（１２）の付勢力に抗して軸方向伸長可能なアジャスタ（９）が設けられた伸縮棚装置において、棚体（３）に通気孔を設けた伸縮棚装置」の発明が記載されていると認められる。
　
（２）申立２の証拠の記載事項
　甲第１号証（実公平３−４０６１５号公報、以下、「刊行物９」という。）には、「伸縮式ラック」に関し、図面と共に次のように記載されている。
「（１）左右一対の縦フレーム３Ｌ，３Ｒと、該フレーム３Ｌ，３Ｒから対向状に突設される横桟５Ｌ，５Ｒとでラックフレーム１を構成し、横桟５Ｌ，５Ｒどうしを左右方向へ挿縮自在に嵌合連結し、左右に分割された一対の棚板部材２Ｌ，２Ｒのそれぞれを重合姿勢で伸縮可能にラックフレーム１に支持し、かつ重合部で下方に位置する方の棚板部材の突端に係合孔９を設けた下向きの側壁８ｂを形成し、該係合孔９が前記横桟に係合支持されている伸縮式ラック。
（２）左右の横桟５Ｌ，５Ｒが直径の異なる管材で形成されており、これら横桟５Ｌ，５Ｒの突端どうしが直接に嵌合連結されている実用新案登録請求の範囲第１項記載の伸縮式ラック。」（実用新案登録請求の範囲第１、２項）、
「右方の棚板部材２Ｒの天板壁８ａを右方の横桟５Ｒに支持できる。実施例のように横桟５Ｒと天板壁８ａとの間に隙間がある場合には、例えば横桟５ＲにＣ字状のゴムリングを介して天板壁８ａを支持するようにしてもよい。
　棚板部材２Ｒの下向きに連設した前記左側壁８ｂに、下向きに開口する逆Ｕ字状の桟挿通孔９を形成し、棚板部材２Ｒを該桟挿通孔９を介して横桟５Ｌに係合支持するようにしてもよい。本考案で言う係合孔６（「９」の誤記）とはかかる桟挿通孔９も含む概念である。右方の横桟５Ｒの突端を棚板部材２Ｒの左側壁８ｂの前記係合孔９に同じ要領で係合支持してもよい。
　横桟および棚板部材を３個に分割して形成し、連結箇所および重合部が左右中途部の２箇所に形成されるようにすることも可能である。
　左右の横桟５Ｌ，５Ｒの長さが異なるものにおいて、例えば前側右方と後側左方の横桟を長尺のものに形成して、連結箇所が前後の組で左右に位置ずれしているようにしてもよい。
　棚板部材２Ｌ，２Ｒの天板壁８ａ、１０ａは通気可能なパンチングメタルで形成してもよい。
　必要に応じて、横桟５Ｌ，５Ｒの連結部に抜け止め手段を付加して、横桟５Ｌが最大棚幅以上に抜け出ない構造とすることができる。」（６欄３〜２９行）
　甲第２号証（東ドイツ特許第２０８９１６号公報、以下、「刊行物１０」という。）には、図面と共に次のように記載されている。
「二つの主テーブル板に分割されたテーブル板１枚、引き出された状態で主テーブル板の間に位置している中間テーブル板１枚、引き出し方向に対して縦方向に対称にフレ一ムと主テーブル板に固定されているガイド２個を備える引き出し式テーブル板のための伸縮自在管ガイドであり、
伸縮自在管ガイドが、フレームに固定されている主ガイド管１個と外径が小さめの引き出し管２個より成り、それらの引き出し管が、一方では主ガイド管の両端に引き込むことができ、他方ではガイドブッシュを介して主ガイド管の外被上を滑り、その際、それぞれのガイドブッシュは固定板を介して引き出し管の固定されていない末端部と連結されていることを特徴とする伸縮自在管ガイド。」（請求項１）
「伸縮自在管ガイド毎に、２個の引き出し管４が主ガイド管５を通って対称に案内される。ガイド操作は、主ガイド管の両端に、ブッシュ９−主に可塑性材質のもの−が填め込まれており、これらのブッシュ中を引き出し管４が滑る形で実現される。ガイド長さを伸ばし、またそのことと関連してガイドの安定度を引き上げるために、引き出し管４にさらに第２のガイド手段が付加される。
ガイドウエイの役割を果たしているのは、主ガイド管５の外被である。この上を、ガイドブッシュが、主に可塑性材質のスライドリング１０を挟んで滑る。これらのガイドブッシュは、固定板３を介して引き出し管４の最も外側端と結合している。
これらの固定板３には、主テーブル板６が固定されている。これらは、大きな力を掛けなくとも一人で出し入れできる。これは主テーブル板が相対的に脚に対して動き、脚が一緒に動かないためである。ガイドの摩擦係数は可塑性材質を採用することによって顕著に減少するため、引き込み・引き出しに要する力も減少することになる。公知の仕方で主テーブル板の下にたたまれたような状態で詰め込まれている中間板７は、テーブルを引き出した状態でガイド上ではなく、フレーム上に位置している。従って、ガイドが中間テーブル板の諸力を引き受ける必要はない。引き出された状態で中間テーブル板を確保するピンも、主テーブル板の安定度向上に役立つ。これは中間テーブル板がフレーム上で支えられるからである。」（２頁３２行〜末行）。
　甲第３号証（実公昭５２−３１６０８号公報、以下、「刊行物１１」という。）には、実用新案登録請求の範囲、２欄３４行〜３欄２５行及び図面の記載によれば、次の発明が記載されていると認められる。
「前後に分割され、且つ内外前後対向方向に移動操作自在とした前後一対の主甲板３ａ，３ｂと、この主甲板の分割中間部に着脱自在として嵌置される継甲板４とを具備する伸縮式のテーブルであって、上記前後主甲板３ａ，３ｂより成る主甲板の、前及び後縁部近くの底部の左右には、脚柱２が突出固設され、また上記前後主甲板底面の左右両側位置には、一万の主甲板に固着され、他方の主甲板とはフリーの状態とした左右一対の前後分離方向に長い案内板６，６が設けられ、さらにこの一対の案内板に近接する左右位置には、上記の固着がわ主甲板とはフリーの状態となし、上記のフリーがわ主甲板とは固着状態とした、上記左右一対の案内板と同様の一対の案内板７，７が設けられ、さらに、上記左右の、近接位置とした各２本の案内板６，７間には、夫々、前後分離方向に長い摺動板５，５が介装され、さらにこの左右摺動板は、案内板と摺動板側壁との接摺面に摺働前後方向に設けられた互いに嵌合する凹凸溝等によつて、分離方向には相互に摺勤自在且つ上下方向には相互移動しないようにして介装されるようにした伸縮式のテーブルにおいて、上記左右摺動板５ ，５の前後底部間には夫々前後一対の前後載置板１４，１４が渡設され、この前後載置板上における上記前後主甲板３ａ，３ｂの底面下部の空間には甲板の縮小時において前記継甲板４が載置収納されるとうにしたテ−ブル。」
　甲第４号証（西ドイツ特許第２４０２９２２号公報、以下、「刊行物１２」という。）には、「伸長テーブル」に関して、図面と共に次のように記載されている。
「結合用ロッド３を構成する部材のなかで断面が最大のロッド本体７は主天板１に簡単に取り付けられるようになっている。図に示す実施例の場合は、テーブル面に平行なロッド本体７それぞれの上側面が、ロッド本体固定用の平面１０になっており、これがロッド本体７の側方ないし前後方向またはこの両方向におのおのわずか突き出している部分に、主夫板１の下面に固定するためのボルト用の通し穴が設けられている。スライドロッド８の外側断面はロッド本体７の内側断面とほぼ同じ大きさであり、そのなかに隙間があまりない状態で収納できるようになっている。中間スライドロッド９の外側断面はスライドロッド８の内側断面ともほぼ同じ大きさになっている。スライドロッド８はロッド本体７に対して、また中間スライドロッド９はスライドロッド８に対して、それぞれ矢印５の引抜き方向の動きを制限する適切なストッパを設けることにより、ロッドが誤って抜け落ちてしまうことのないようになっている。
　図１および２にさらに示すとおり、中間スライドロッド９それぞれの長手方向中央部付近には中間天板４を支える座面１１が設けられている・・・
中間天板４の片方を使用するときには、その全幅の中央部が２つの座面１１の上に載り、図１にしたがって中間天板４を両方とも使用するときには、２枚の中間天板の突当て部が座面１１の上に載ることにより確実に支持される。
　主天板１それぞれの縁部６には中間天板４を１枚または２枚受けるための座面１２が２つ、間隔を置いて並べられている。この座面１２は付属する主天板１それぞれの下面で縁部６からわずかに突き出しており、その上面には、座面１１の受止め面と同一レベルの座面が形成されている。座面１２はロッド本体７に設けられる。すなわち固定用平面１０の先端部を矢印５の引抜き方向に幅を狭めて短冊状に延長して突起させ、互いに向き合う相手側の主天板１の縁部６がその上に載るように形成される。」（６頁１８行〜８頁１７行）。
　甲第５号証（実開昭５５−７７４５４号公報、及び実願昭５３−１６１２７５号（実開昭５５−７７４５４号）のマイクロフイルム、以下、「刊行物１３」という。）には、実用新案登録請求の範囲、２頁１５行〜４頁８行及び図面の記載によれば、次の発明が記載されていると認められる。
「テーブル主体をその天板の中央部において２分割して左右の分割テーブル（１）（２）を水平方向に伸縮自在に結合し、該分割テーブル（１）（２）を伸長させた際に生じる中央空間部に、一方の面（３）に電熱器具（５）を備え、他方の面（６）が平滑面をなした板状の電熱ユニット（７）を嵌着可能となし、更に上記左右の分割テーブル（１）（２）の下面側に上記電熱ユニット（７）を格納可能な支持部材（８）を配設してなるクッキングテーブルにおいて、一方の分割テーブル、例えば右側の分割テーブル（２）の幕板（９）は少なくとも上記した電熱ユニット（７）の幅寸法に亘って延長されて該電熱ユニット（７）の載置部を形成するとともに、その内側面に溝（１０）（１０）を備え、他方の分割テーブル（１）の幕板部分（１１）（１１）の外側面に、上記した右側の分割テーブル（２）の溝（１０）（１０）に摺動自在に嵌合される突条（１２）（１２）を形放して、上記溝（１０）（１０）と突条（１２）（１２）とを嵌合させることによって各隅部から垂下された４本の脚（１３）（１３）でもって支持された伸縮自在な１つのテーブル主体となすクッキングテーブル。」。
　甲第６号証（実願平５−４８８９１号（実開平７−１７１３９号）のＣＤ−ＲＯＭ、以下、「刊行物１４」という。）には、請求項１、段落【０００３】及び図面の記載によれば、次の発明が記載されていると認められる。
「テーブルなどのコーナー部裏面に設けられた孔部に、上端が挿入される金属製の丸パイプにより構成された脚の上端部において、前記孔部への挿入分の下側に溶接にて受け板が取り付けられ、前記脚の上端部を前記孔部に挿入した状態で前記受け板上で前記テーブルなどを受ける家具などの脚取り付け構造。」
　甲第７号証（実願平４−９０３９７号（実開平６−４６５２９号）のＣＤ−ＲＯＭ、以下、「刊行物１５」という。）には、請求項１及び図面の記載によれば、「多角形のテーブル板の一辺に掛止め突部を形成し、他の一辺に掛止め凹部を形成するとともに、このテーブル板の裏面コーナー部に脚挿入穴を形成し、この脚挿入穴に脚を着脱自在にしてなる連結テーブル。」の発明が記載されていると認められる。
　甲第８号証（実開平６−０４１５４６号公報）、上記刊行物７と同じ。
　甲第９号証（米国特許第１０１０３２１号明細書、以下、「刊行物１６」という。）には、「伸縮テーブル」に関し、図面と共に次のように記載されている。
「図面で明らかに示されているように、私が考案したテーブルは３つの部分からなり、それは中央部１と両端部２および３である。中央部は天板４と付随するサイドフランジ５からなる。同サイドフランジの下端にはクロスピース６が固定されているが、それは金属製であることが望ましい。テーブルの両端部はそれぞれ天板７および８と、それぞれに付随するフランジ９および１０からなる。これらの両端部もそれぞれクロスピース１１および１２を伴うが、それらは中央部のクロスピース６と類似したもので、同じ水平面上に配置されている。
　クロスピース６、１１、および１２にはネジ孔１３が施され、着脱式脚１５上端のネジ山１４を受け入れるようになっている。中央部のクロスピースはこのネジ孔が１ヶ所のみ施されるのが望ましいが、両端部のクロスピースにはそれぞれ２ヶ所施される。従ってテーブルの両端部はそれぞれ２本ずつの脚に、そして中央部は１本の脚によって支持される。
　テーブルスライドは３組使用する。それらの内２組、１６および１７はテーブル天板の裏側に固定され、両端にひとつずつ配置されている。３組目のテーブルスライド１８はテーブルの数箇所のクロスピースに固定されている。テーブルスライドの各組はそれぞれテーブル中央部に堅く固定した２本の小ロッド１９および、テーブル両端にそれぞれ固定され、ロッド１９上に入れ子式にはめる、２本の筒状ロッド２０で構成される。スライド１６および１７のロッド１９は、テーブル中央部の天板の相対する縁部近くに固定されたフェーシングブラケットに接続される。
　これら各テーブルスライドの２本のロッド１９はそれぞれ反対方向に伸長し、伸びた方向のブラケット２１で保持される。言い換えると前記ロッドの１本はその一端がテーブル中央部の片側のブラケットに堅く固定されているのに対し、もう１本のロッドはその一端がテーブル中央部のもう一方の側に配置された、もうひとつのブラケットに堅く固定されているのである。前記ロッド１９の反対側の端は、それぞれもう１本のロッドが堅く固定されているブラケットの開口部２２を通って伸びる（図６参照）。テーブルスライド１６および１７の筒状ロッド２０は、その外側の端がテーブルの端部のブラケット２３に堅く固定されている。前記筒状ロッドの内側の端部は、片方のロッド１９の固定されていない端部まで達し、片方のブラケット２１の開口部２２の内側に収まる。前記筒状ロッドの内側の端は２４における場合のように据え込み加工が施され、ブラケット２１からはずれるのを防いでいる。
　テーブルスライド１８はインナーロッド１９を有し、テーブル中央部のクロスピース６に取付けられ、その端が２６に示すように上方向に曲がっている、縦方向に伸びたストリップ２５に固定され、テーブルスライド１６および１７と同じように構成され、それぞれのブラケット２１を含む垂直平面を横切って配置される。テーブルスライド１８の伸縮式ロッド１９と２０は他のテーブルスライドと同じ順序で配置され、上部テーブルスライドとの関連で説明されたのと同じ方法で、ストリップ２５の曲がった端部２６に取付けられている。テーブルスライド１８の筒状ロッドの、他の外側の端はそれぞれ、テーブル末端のクロスピースに固定されたブラケット２７に接続されている。
　さらに２本の伸縮式ロッド２８および２９がテーブル部に、折畳み自在板３０および３１をピボットのように支える目的で、テーブルスライドと同じ方法で接続されている。自在板３０が取付けられている伸縮式ロッド２８は、テーブル両端部の一方、およびテーブル中央部の遠い方の端に固定された、ブラケット３２および３３によってテーブル天板裏面の直下に固定されている。自在板３１を支える伸縮式ロッド２９は、テーブル両端部のもう一方とテーブル中央部の逆の端に接続されたブラケット３４および３５に固定されている。・・・
　前述の説明を添付図面と合わせて参照することにより、各自在板を折りたたんでテーブルを縮める方法、およびテーブルを伸長して自在板を組立てる方法がはっきり理解されるはずある。同自在板はテーブル天板の固定部の端にある、対応するソケットとかみ合うラグ４３によって、広げられた位置に保持される。」
　甲第１０号証（特開平９−６５９３７号公報、以下、「刊行物１７」という。）には、図面と共に次のように記載されている。
「置棚１は、左右の支持脚２，２と、該支持脚２間の前及び後方に相互に平行にかつ上下二段に係着された夫々４本の棚受バー３と、左右方向に分割された複数の棚部材４Ａ，４Ｂと、支持脚２に棚受バー３を係着する係止部材５Ａ，５Ｂとにより主構成されている。」（段落【００１０】）、
「棚受バー３は、前部及び後部に夫々２本平行に前記係止部材５Ａ，５Ｂにより各脚体２Ａ，２Ｂに係着されるが、金属又は合成樹脂製等の大径管３Ａとこれに摺動自在に挿通される小径管３Ｂとから成り」（段落【００１３】）、
「棚受バー３を構成する大径管３Ａと小径管３Ｂの外方端は、係止部材５Ａ，５Ｂのバー嵌着孔１７に接着剤により固着される。そして、各大径管３Ａの内端は、前記連結部材１５Ａ，１５Ｂに嵌合されると共に接着剤により固着される。
　前記連結部材１５Ａ，１５Ｂは合成樹脂製で、図４、図５〜図１９に示すように、前後対称形状で同寸法とされており、前部及び後部の各２本の大径管３Ａ内端をも連結するように、２つの筒状部２３，２３が互いに平行でかつ上下に段差Ｈをもちしかも前後に中心間隔Ｓをもって、連接部２４により連接一体化されている。そして、筒状部２３，２３の一端開口は縮径されて前記小径管３Ｂが摺動可能に挿通される摺動案内孔２５とされ、該開口２５の鍔状部分が大径管３Ａのストッパーとなっている。」（段落【００１７】）、
「ストッパー２６は、前記バー３の小径管３Ｂに嵌着され、前記連結部材１５Ａ，１５Ｂに当接することにより、大径管３Ａと小径管３Ｂの管軸方向移動を阻止するようになっている。したがって、該ストッパー２６は、棚受バー３の長さが決められてセットされた後、連結部材１５Ａ，１５Ｂに当接するように、小径管３Ｂに上方から挟み着けるように装着することにより、両管３Ａ，３Ｂを固定できる。」（段落【００２０】）。
　甲第１１号証（実開平４−９６２２４号公報）には、実用新案登録請求の範囲及び図面の記載によれば、
「支持脚上部に横架される天板支持部材を複数本平行に配置し、該天板支持部材の上部に掛止される天板を複数枚の長方形の分割天板で構成し、該分割天板に、分割天板をその長手方向が天板支持部材と直交方向に掛止する掛止部と、平行方向に掛止する掛止部とを設けた携帯用組立テーブル。」の発明が記載されていると認められる。
　甲第１２号証（登録実用新案第３００４８１５号公報）、上記刊行物２と同じ。
　甲第１３号証（実公平６−４９２１７号公報、以下、「刊行物１９」という。）には、実用新案登録請求の範囲及び図面の記載によれば、
「支持脚にて保持し物品の載置部を形成した中央テーブルに、両端を開口部とした挿入パイプを複数本平行に固定し、この挿入パイプ内に、挿入パイプよりも細い直径の区画パイプを挿入し、この区画パイプの両端を挿入パイプ内に固定することにより、挿入パイプ内に、区画パイプで区画した平行する一対の挿入路を形成し、この挿入路内に、延長パイプを各々挿入摺動可能とするとともに、この延長パイプの外端方向に支持脚を固定することにより、延長テーブルを形成し、この延長テーブルを、中央テーブルに対して出入可能とした伸縮型テーブル。」の発明が記載されていると認められる。
　甲第１４号証（西ドイツ特許第２９５０８３５号公報、以下、「刊行物２０」という。）には、「伸長テーブル」に関し、明細書及び図面の記載によれば、次の発明が記載されていると認められる。
「天板２が２つの分割された主板３，４及び中間板５，６，７，８からなる天板２を有する伸長テーブルであって、天板３，４には支脚９，１０が固定され、天板２の裏面には並行に設けられた伸縮ガイド１１，１２が設けられ、伸縮ガイド１１，１２は主ガイド管１３，１４と、延長管１５，１６及び延長管１５，１６の接続管１７を有し、主ガイド管１３，１４の外側１８，１９には短管２０，２１が溶接２２により配置され、短管２０，２１には、ガイド管２６，２７が長手方向に伸長可能に挿入され、ガイド管２６，２７の端部には、連結部２８により固定板２９，３０が配置され、該固定板２９，３０は、ねじ３２により主板３，４に固定される伸長テーブル。」
　
５．対比・判断
（１）請求項１に係る発明について
　本件の請求項１に係る発明と刊行物１ないし２０に記載された発明とを対比すると、刊行物１ないし２０に記載された発明には、請求項１に係る発明を特定する事項である「外管の伸縮方向に一定長を有する固定棚は、その後方裏面に設けた取付孔に内管側の支脚を嵌入すると共に、当該固定棚の先端の支持部に対して上記外管をその伸縮に応じて摺動自在に挿通して該固定棚を水平に支持し、所定枚数の取替棚を前後の外管上に掛止する」について記載されていないし示唆もない。
　すなわち、刊行物１、１１ないし１３、１９、２０には、天板の裏面に脚を取り付け、天板の裏面に前後に、伸張案内装置を設け、伸張案内装置の上方に着脱自在な板を配置する伸縮テーブルが記載されているが、刊行物１、１１、１３の伸張案内装置は、案内部材の溝と突条を係合させるものであって、外管に内管を伸縮可能に挿通したものではなく、刊行物１２、１９、２０には、外管に内管を伸縮可能に挿通したものが示されているが、着脱自在な板を外管上に掛止することは示されていない。
　刊行物２、１７には、左右の支脚間に前後に架橋した棚受用横桟上に取替棚を設けてなる置棚において、上記棚受用横桟を、外管に内管を伸縮可能に挿通してなるものとすることが記載されているが、固定棚を設けることは記載も示唆もなく、取替棚は径の異なる内管と外管上に載置されるものである。
　刊行物３には、固定棚から伸長する棒上に取替可能な可動板を掛止めすること、刊行物８には、固定棚から伸長する棒上に補助棚部材を載置することが記載されているが、支脚を有する置棚ではなく、取替棚を外管上に掛止することも示されていない。
　刊行物４には、テーブルトップの左右に伸長する棒状体上に拡張板を載置することが記載されているが、棒状体はテーブルトップに固定された管２０より小径であり、かつ伸長側端部は支脚で支持されていない。
　刊行物５には、ベースを構成する左右の区分体の裏面に前後に、レールを設け、レールの上方に着脱自在な拡張部材を配置する台が記載されているが、外管に内管を伸縮可能に挿通した伸縮装置を設けることは記載されていない。
  刊行物６には、収納棚板２の左右端部に被嵌したスライド延長棚板３を伸縮させることが記載されているが、棚板自体が伸縮するものであり、外管に内管を伸縮可能に挿通した伸縮装置に取替棚を掛止することは記載されていない。
　刊行物７、１４、１５には、棚板の裏面に支脚を取り付けることが記載されているが、支脚間を伸縮することについては記載も示唆もない。
　刊行物９には、左右の支脚間に前後に架橋した棚受用横桟上に一対の棚板を設けてなる置棚において、上記棚受用横桟は外管に内管を伸縮可能に挿通してなると共に、上記管の伸縮方向に一定長を有する棚板の一方は、先端の支持部に対して内管をその伸縮に応じて摺動自在に挿通することが記載されているが、一対の棚板は重合姿勢で伸縮可能にフレームに支持されているものであり、固定棚の後方裏面に設けた取付孔に内管側の支脚を嵌入すること、固定棚の先端の支持部に対して外管を摺動自在に挿通すること、所定枚数の取替棚を前後の外管上に掛止することについては記載も示唆もない。
　刊行物１０には、二つの主テーブル板間に伸縮自在ガイドを設け、主テーブル板を左右に引き出した状態で、その間に着脱自在な中間テーブル板を設けるテーブルにおいて、主ガイド管内に小径の引き出し管を伸縮可能に挿通し、主テーブル板を固定板を介して小径の引き出し管に取付け、大径の主ガイド管上に中間テーブル板を載置することが記載されているが、支脚はフレームに取付られており、中間テーブル板が、ガイド管を固定しかつ支脚を有するフレームで支持されるものであって、主テーブル板を支脚と伸縮自在ガイドで支持することは示されていない。
　刊行物１６には、中央部と両端部の３部分からなるテーブル天板にそれぞれ支脚を設け、中央部と左右の端部間にスライドを設け、スライドを伸長させた状態で中央部と両端部間に自在板を配置する伸縮テーブルにおいて、上記スライドは筒状のロッド（請求項１に係る発明の「外管」に相当する）に小ロッド（同「内管」に相当する）を伸縮可能に挿通してなると共に、上記筒状のロッドの伸縮方向に一定長を有する中央部は、その裏面に設けたクロスピースの取付孔に支脚を嵌入すると共に、当該中央部の先端のブラケットに対して上記筒状のロッドをその伸縮に応じて摺動自在に挿通したことが記載されているが、自在板とテーブル天板とは、ソケットとラグを介して連結され、拡げた状態に保持されるものであり、自在板を、筒状のロッド上に掛止めすることは示されていない。
　刊行物１８には、携帯用組立テーブルが記載されているが、固定の天板を有することも、伸縮する支持部材を設けることも記載されていない。
　そして、本件請求項１に係る発明は、上記特定事項を含む全体として、左右の支脚間に伸縮可能な横桟を設けた置棚において、固定棚は、後方に取付けた支脚と横桟の外管により水平状態に支持され、取替棚は、横桟の外管のみで支持されることにより、「ガタツキがなく、外管の径に見合って十分な積載荷重を確保することができる」等の明細書記載の特有の作用効果を奏するものと認められる。
　したがって、本件請求項１に係る発明は、刊行物１ないし２０に記載された発明に基いて当業者が容易に発明をすることができたものであるとすることはできない。
　
（２）請求項２、３に係る発明について
  請求項２、３に係る発明は、請求項１に係る発明の「置棚」を特定する事項をすべて含むものであるから、請求項１に係る発明が、刊行物１ないし２０に記載された発明に基いて当業者が容易に発明をすることができたものであるとすることはできない以上、同様に、刊行物１ないし２０に記載された発明に基いて当業者が容易に発明をすることができたものであるとすることはできない。
　
６．むすび
　以上のとおり、異議申立ての理由及び証拠方法によっては本件請求項１ないし３に係る特許を取り消すことはできない。
　また、他に本件請求項１ないし３に係る特許を取り消すべき理由は発見しない。
　よって、結論のとおり決定する。
【異議決定日】
平成１５年１１月１８日（２００３．１１．１８）